(57)【要約】【課題】レフィル容器の、係合状態におけるがたつきを適切に防止することが可能な化粧料容器を提供する。【解決手段】容器本体２のレフィル容器収納部４の内周面２１に沿って相対回転されて、レフィル容器収納部に着脱自在に取り付けられるレフィル容器５を備えた化粧料容器１であって、レフィル容器の周壁１４外面には係止突起１９が設けられ、レフィル容器収納部の内周面には、係止突起が挿入される案内溝２２と、案内溝からレフィル容器収納部の内周面周りに連続的に延長させて、係止突起が進入し係脱自在に係合される保持溝２４が形成され、レフィル容器収納部には、係止突起を保持溝の上縁に押しつけるべくレフィル容器を上方に押圧するレフィル容器押し上げ手段２５が設けられている【選択図】図１
2006345959.tif 000002
【特許請求の範囲】
【請求項１】
容器本体のレフィル容器収納部の内周面に沿って相対回転されて、上記レフィル容器収納部に着脱自在に取り付けられるレフィル容器を備えた化粧料容器であって、
上記レフィル容器の周壁外面には係止突起が設けられ、
上記レフィル容器収納部の内周面には、上記係止突起が挿入される案内溝と、該案内溝から上記レフィル容器収納部の内周面周りに連続的に延長させて、上記係止突起が進入し係脱自在に係合される保持溝が形成され、
上記レフィル容器収納部には、上記係止突起を上記保持溝の上縁に押しつけるべく上記レフィル容器を上方に押圧するレフィル容器押し上げ手段が設けられていることを特徴とする化粧料容器。
【請求項２】
前記保持溝内には、前記係止突起の上記保持溝への進入を許容するとともに、該係止突起が該保持溝から容易に離脱されることを防止する保持突起が形成されることを特徴とする請求項１に記載の化粧料容器。
【発明の詳細な説明】
【技術分野】
【０００１】
本発明は、レフィル容器の、係合状態におけるがたつきを適切に防止することが可能な化粧料容器に関する。
【背景技術】
【０００２】
従来、交換用の化粧料を収納したレフィル容器を備えた化粧料容器であって、レフィル容器を化粧料容器本体部のレフィル容器収納部内にその周方向に回転させて取り付ける技術として、例えば特許文献１に開示されたものが知られている。
【０００３】
特許文献１の化粧料容器は容器本体と蓋体とを有し、皿部と蓋部とからなるレフィル容器を収納するものであって、容器本体にはその内外を貫通する容器側貫通孔が形成され、この容器側貫通孔にはレフィル容器の皿部が着脱自在に取り付けられる。レフィル容器皿部の周壁外面には係止突起が形成されており、容器側貫通孔の内周面には係止突起を上側から挿入するための切り欠き部と、この切り欠き部に連続させて容器側貫通孔周りに延長させて保持溝が形成されている。さらにこれら保持溝と切り欠き部との間には、係止突起の保持溝への進入を許容するとともに係止突起が保持溝から容易に離脱してしまうことを防止する保持突起が隆起形成されている。これにより係止突起は、容器本体の上面側から切り欠き部および保持突起を経由して挿入され、保持溝内に係脱可能に係合される。
【特許文献１】特開２００３−２４５１２３号公報
【発明の開示】
【発明が解決しようとする課題】
【０００４】
ところで上記背景技術にあっては、レフィル容器の皿部が容器本体に係合された状態においてがたつきが生じてしまっていた。具体的には、係止突起が保持突起を乗り越えて保持溝内に進入し係合された位置における保持溝の上下寸法は、係止突起の上下寸法よりも大きく設定されているため、使用者が化粧料容器を使用する際や持ち運ぶ際の振動により係止突起が保持溝内で上下方向にに相対移動してしまいがたつきを生じていた。このがたつきを防止するために例えば、保持溝を、その先端付近の上下寸法を次第に減少させて先細りの形状とすることが考えられるが、そのようにした場合には、例えばレフィル容器を取り付ける際に勢いよく回転させすぎて、係止突起が保持溝内に固く係合され過ぎてしまい、離脱させる操作が困難なものとなってしまうおそれがあった。
【０００５】
本発明は上記従来の課題に鑑みて創案されたものであって、レフィル容器の、係合状態におけるがたつきを適切に防止することが可能な化粧料容器を提供することを目的とする。
【課題を解決するための手段】
【０００６】
本発明にかかる化粧料容器は、容器本体のレフィル容器収納部の内周面に沿って相対回転されて、上記レフィル容器収納部に着脱自在に取り付けられるレフィル容器を備えた化粧料容器であって、上記レフィル容器の周壁外面には係止突起が設けられ、上記レフィル容器収納部の内周面には、上記係止突起が挿入される案内溝と、該案内溝から上記レフィル容器収納部の内周面周りに連続的に延長させて、上記係止突起が進入し係脱自在に係合される保持溝が形成され、上記レフィル容器収納部には、上記係止突起を上記保持溝の上縁に押しつけるべく上記レフィル容器を上方に押圧するレフィル容器押し上げ手段が設けられていることを特徴とする。
【０００７】
また、前記保持溝内には、前記係止突起の上記保持溝への進入を許容するとともに、該係止突起が該保持溝から容易に離脱されることを防止する保持突起が形成されることを特徴とする。
【発明の効果】
【０００８】
本発明にかかる化粧料容器にあっては、レフィル容器の、係合状態におけるがたつきを適切に防止することが可能となる。
【発明を実施するための最良の形態】
【０００９】
以下に、本発明にかかる化粧料容器の好適な一実施形態を添付図面を参照して詳細に説明する。図１から図４に示すように、本実施形態にかかる化粧料容器１は合成樹脂で形成され、主に容器本体２と蓋体３とから構成されている。容器本体２には凹状、より詳細には有底のほぼ円筒状のレフィル容器収納部４が形成されており、このレフィル容器収納部４にレフィル容器５が着脱自在に取り付けられる。また、容器本体２には、レフィル容器収納部４に並列させてやはり凹状の化粧用具収納部６が形成されされており、この化粧用具収納部６には例えばパフＰのような化粧用具などが収納される。レフィル容器収納部４と化粧用具収納部６とは容器本体２中央部の隔壁７によって仕切られている。また蓋体３の下面には鏡８が設けられている。
【００１０】
容器本体２と蓋体３との間には、容器本体２を開閉するために当該容器本体２に対して蓋体３を回動自在に連結する蝶番機構９が設けられている。この蝶番機構９は、容器本体２に一対突設された蝶番ブロック９ａ間に、蓋体３に形成された蝶番片９ｂが挟み込まれ、これら蝶番ブロック９ａから蝶番片９ｂにわたって、図示しない蝶番ピンが挿通されて構成されており、蝶番片９ｂが蝶番ブロック９ａに対し蝶番ピン周りに回動されるようになっている。
【００１１】
また容器本体２と蓋体３との間には、蝶番機構９と反対側（化粧料容器１の前端側）に、容器本体２の閉止状態を維持するためのフック機構１０が設けられている。このフック機構１０は、容器本体２の前端に形成されたフック凹所１０ａと、当該フック凹所１０ａの後端側壁面に設けられたフック用突起１０ｂと、蓋体３の前端にフック凹所１０ａに向かって垂下形成され、フック用突起１０ｂに係脱自在に係合されるフック部１０ｃと、フック凹所１０ａ内にスライド自在に設けられ容器本体２の後端側に向かって押し込まれることにより蓋体３を押し上げ、フック部１０ｃをフック用突起１０ｂから離脱させるプッシュピース１０ｄとから構成されている。
【００１２】
レフィル容器５は、やはり合成樹脂で形成され、基本的に、化粧料が充填される皿状のレフィル本体１１と、これを開閉する蓋部１２とから構成されている。レフィル本体１１と蓋部１２の平面外形輪郭はともにほぼ円形である。レフィル本体１１は基本的に、円形の底部１３と、底部１３の周縁から一体的に立設された円筒状の周壁１４とから構成されている。
【００１３】
レフィル本体１１と蓋部１２との間には、レフィル本体１１に対して蓋部１２を回動自在に連結するヒンジ部１５が設けられている。このヒンジ部１５は、レフィル本体１１に一対突設されたヒンジブロック１５ａ間に、蓋部１２に形成されたヒンジ片１５ｂが挟み込まれるとともに、これらヒンジブロック１５ａからヒンジ片１５ｂにわたってヒンジピン１５ｃが挿通されて構成されており、ヒンジ片１５ｂがヒンジピン１５ｃ周りにヒンジブロック１５ａに対して回動されるようになっている。
【００１４】
またレフィル本体１１と蓋部１２との間には、ヒンジ部１５と反対側（レフィル本体１１の前端側）に、レフィル本体１１の閉止状態を維持するためのフック手段１６が設けられている。このフック手段１６は、レフィル本体１１の前端に形成された凹所１６ａに形成された突起１６ｂと、蓋部１２の前端に凹所１６ａに向かって垂下形成され、突起１６ｂに係脱自在に係合するフック１６ｃとから構成される。
【００１５】
蓋部１２の前端、フックの上部には蓋部１２の上面と連続して庇状に突出した操作部１７が一体形成されている。レフィル容器５をレフィル容器収納部４に取り付けた状態において、この操作部１７は、レフィル容器収納部４と化粧用具収納部６との間の隔壁７の上方の位置で化粧用具収納部６側へと突出する。蓋部１２の開閉操作はこの操作部１７を手指で摘みつつ行うことができる。また蓋部１２の内側面には弾性パッキン１８が設けられており、蓋部１２の閉止状態においては、この弾性パッキン１８の周縁部がレフィル本体１１の周壁１４の上端に圧接されてレフィル本体１１を気密に維持するようになっている。
【００１６】
レフィル本体１１の周壁１４外面には、上下方向中程に、円柱状の係止突起１９が側方に突出させて一体形成されている。本実施形態にあっては２つの係止突起１９が設けられており、互いに同様の寸法・形状を有している。一方の係止突起１９はレフィル容器５前端のすぐ横、もう一方はそのほぼ１８０度反対側の周壁１４外面上に配置されている。なお、係止突起１９の具体的な数や形状などは本実施形態のものに限定されるものではなく、また、必ずしも本実施形態のようにレフィル容器５の周壁１４と一体的に形成されるのではなく別体として形成されて取り付けられてもよい。
【００１７】
容器本体２に形成された凹状のレフィル容器収納部４は、レフィル本体１１の周壁１４および底部１３がほぼぴったりと沿うように収まる寸法、および形状すなわち円形の底面２０と円筒状の内周面２１とにより区画形成されている。レフィル容器５は、このレフィル容器収納部４の内周面２１に対し相対回転されて、レフィル容器収納部４内に着脱自在に取り付けられる。
【００１８】
より具体的には、レフィル容器収納部４の内周面２１には、内周面２１の上端から上下方向中程の位置まで下方に向かって溝状に窪ませて形成された案内溝２２が２箇所、設けられている。各案内溝２２の位置は、レフィル本体１１の周壁１４外面に設けられた２つの係止突起１９それぞれに対応する位置であり、レフィル容器５をレフィル容器収納部４に取り付ける際には、各係止突起１９がこれら案内溝２２に上方から挿入される。本実施形態における案内溝２２は、係止突起１９が挿入されやすいように上方が下方に較べ幅広な形状となっている。
【００１９】
また容器本体２の、レフィル容器収納部４に隣接した部分、本実施形態にあっては化粧用具収納部６と１８０度反対側のあたりには、容器本体２の上面から溝状に窪ませてヒンジ収納凹部２３が形成されている。レフィル容器５をレフィル容器収納部４に取り付ける際には、レフィル容器５のヒンジ部１５がこのヒンジ収納凹部２３に収められる。ヒンジ収納凹部２３の長さ寸法は、ヒンジ部１５の長さ寸法よりも大きく設定されており、レフィル容器５を取り付ける際にレフィル容器５を回転させるその回転移動距離を許容できる長さに設定されている。レフィル容器５のヒンジ部１５を、例えば容器本体２の上面と蓋体３との間に位置させるのではなく、本実施形態のように容器本体２上面を窪ませて形成したヒンジ収納凹部２３に収めるようにすることによって、レフィル容器５の上下寸法を比較的大きいものに維持しながらも化粧料容器１全体の上下寸法をコンパクトに抑えることが可能となる。
【００２０】
レフィル容器収納部４の案内溝２２の下端からは、レフィル容器収納部４の内周面２１周りの方向、すなわちレフィル容器５がレフィル容器収納部４内周面２１に対し相対回転される方向である水平方向に、連続的に延長させて、保持溝２４が形成されている。レフィル容器５の各係止突起１９は、案内溝２２の下端まで下降された後、保持溝２４内に進入し、レフィル容器５の回転にともなって保持溝２４内を奥の方へ移動され、最終的に保持溝２４内において係脱自在に係合される。保持溝２４が設けられる高さ、すなわちレフィル容器収納部４の内周面２１における上下方向の配置は、この保持溝２４内をレフィル容器５の係止突起１９が通過する際にレフィル容器５の底部１３が、後述するレフィル容器収納部４底面２０に設けられたレフィル容器押し上げ手段２５に弾発的に当接するように設定されている。
【００２１】
また、保持溝２４内の、案内溝２２との接続箇所に近い位置には、保持溝２４内の上縁すなわち保持溝２４の上側壁面２４ｂから下方へとほぼ半円状に突出させて、保持突起２６が形成されている。保持突起２６は保持溝２４の上側壁面２４ｂと一体的に、すなわちレフィル容器収納部４の内周面２１と一体的に形成されている。保持突起２６の存在によって保持溝２４の上下寸法は、保持突起２６の部分において縮小されている。具体的には、保持突起２６の下方における保持溝２４の上下寸法は、係止突起１９の断面の上下寸法よりも若干大きい程度に設定されている。保持溝２４の他の部分における上下寸法はそれよりも大きく設定されている。レフィル容器５を回転させる際に係止突起１９は、保持溝２４内の、この上下寸法が最も狭められた保持突起２６の下方を通過してさらに奥へと挿入される。
【００２２】
また、保持突起２６よりも奥側（保持溝２４の終端側、案内溝２２と反対側）の部分の保持溝２４の奥行き寸法、すなわち保持突起２６の奥側端部と保持溝２４の終端面２４ａとの間の距離は比較的小さく設定されており、具体的には、係止突起１９の円形断面の直径よりも若干小さい程度である。この結果、保持突起２６を乗り越えた係止突起１９は、保持突起２６と保持溝２４の終端面２４ａとの間に係止されて奥行き方向に相対移動しないようになっている（図４の位置Ｃ参照）。その結果、係止突起１９が係合された状態、ひいてはレフィル容器５がレフィル容器収納部４内に取り付けられた状態において、係止突起１９が保持溝２４内で奥行き方向に相対移動してしまうことによるレフィル容器５のがたつきが防止されている。
【００２３】
レフィル容器収納部４の底面２０には、係止突起１９を保持溝２４の上縁に押しつけるべくレフィル容器５を上方に押圧するレフィル容器押し上げ手段（以下、押し上げ手段という）２５が三箇所形成されている。具体的には、いずれもレフィル容器収納部４の円形の底面２０の半径方向中程に、底面２０と一体的に、半オーバル状の外周部分を打ち抜いたスリットとして形成されている。押し上げ手段２５の厚さすなわち上下寸法は、レフィル容器収納部４の底面２０の厚さ、すなわち容器本体２の底面の厚さよりも小さく設定されている。これら各押し上げ手段２５の、弧状に形成された先端（径方向外側端）付近には、レフィル容器５の底部１３に当接する円柱状の当接部２７が一体的に突設されている。押し上げ手段２５の根元側（底面２０の中心側）は底面２０と一体的に連結されており、押し上げ手段２５の先端側はこの根元部分を基点に上下に弾性変形可能となっている。
【００２４】
当接部２７の上下寸法は、レフィル容器５の係止突起１９が保持溝２４内に位置する際に、当接部２７の上面がレフィル容器５の底部１３に弾発的に当接し、レフィル容器５の底部１３を上方に押圧するように設定されている。押し上げ手段２５が当接部２７を介してレフィル容器５の底部１３を上方に押圧すると、レフィル容器５の係止突起１９は、保持溝２４の上縁すなわち保持突起２６や保持溝２４の上側壁面２４ｂに押しつけられる。本実施形態の押し上げ手段２５及び当接部２７は、レフィル容器収納部４の底面２０と一体的に形成することとしたので、それぞれ別体で形成し取り付ける場合に比して製造における手間やコストの面で有利である。
【００２５】
なお、係止突起１９や案内溝２２、保持溝２４の数や形状、寸法などは必ずしも本実施形態のものに限定されるわけではない。例えば保持溝２４は、本実施形態のように水平方向に延びる形状に限られるものではなく、若干下降するように傾斜していてもよい。またその場合、押し上げ手段２５は、必ずしも係止突起１９を、保持溝２４内を通過する全行程において上縁に押しつける必要はなく、例えば係止突起１９が保持突起２６を超えて保持溝２４内へ移動した状態（係合された状態）のみにおいてレフィル容器５の底部１３を上方に押圧することとしてもよい。また、案内溝２２と保持溝２４とは、必ずしも本実施形態のように明らかに区別できる形態でなく、外見上は両者が一連の、一本の溝のようであってもよい。
【００２６】
また、押し上げ手段２５の位置や形状、数などは、必ずしも本実施形態のものに限定されるわけではなく、例えばレフィル容器収納部４の内周面２１に設けられていてもよい。また、レフィル容器収納部４の底面２０や内周面２１と一体的に形成されるのではなく、別体として形成されて取り付けられてもよい。
【００２７】
次に、本実施形態にかかる化粧料容器１の作用について説明する。本実施形態の化粧料容器１は、単独、あるいはレフィル容器５やパフなどの化粧用具と組み合わせて販売され、レフィル容器収納部４にレフィル容器５が取り付けられて使用される。レフィル容器５をレフィル容器収納部４に取り付けるには、まず図２に示すように、レフィル容器収納部４の上方から、各係止突起１９が各案内溝２２の上端部に挿入されるように、かつレフィル容器５のヒンジ部１５が容器本体２のヒンジ収納凹部２３に収納されるように、レフィル容器５の周壁１４外面をレフィル容器収納部４の内周面２１に沿わせて滑り込ませる。その後、各係止突起１９が各案内溝２２内を下降し（図４の位置Ａ参照）、その下端に達したところでレフィル容器５をレフィル容器収納部４周りに相対回転させることによって、各係止突起１９に各保持突起２６を乗り越えさせ、さらに各保持溝２４内に移動させる。
【００２８】
係止突起１９が保持溝２４内に位置しているとき、レフィル容器押し上げ手段２５がレフィル容器５の底部１３に弾発的に当接しこれを上方へ押圧し、ひいては係止突起１９を保持溝２４の上縁に押しつける。その結果、各係止突起１９が各保持突起２６の下を当該保持突起２６に押しつけられつつ通過するとき（図４の位置Ｂ参照）にクリック感が得られる。
【００２９】
各係止突起１９が各保持突起２６の下を通過し、さらに保持溝２４の終端面２４ａ側へと移動する（図４の位置Ｃ参照）ことによって各係止突起１９が保持溝２４内に係合され、ひいてはレフィル容器５がレフィル容器収納部４に取り付けられる。この各係止突起１９の係合状態は、本実施形態にあっては、少なくとも案内溝（ほぼ鉛直方向に延びる）２２の方向（ほぼ鉛直方向）に対しほぼ９０度傾いた（ほぼ水平方向）、いわば案内溝２２に対し鍵状に屈折された保持溝２４の形状によって維持され、係止突起１９が保持溝２４内から容易に離脱しないようになっている。さらに、押し上げ手段２５の作用によって係止突起１９が保持溝２４の上縁に押しつけられることによって、より確実に係合されている。さらにまた、保持突起２６の存在によって、係止突起１９の、保持溝２４内からのより確実な係合すなわち離脱防止が図られている。また、係合状態における各係止突起１９が、押し上げ手段２５によって保持溝２４の上縁に押しつけられることによって、各係止突起１９が上下に相対移動しないようになっている。
【００３０】
レフィル容器５を交換するために取り外す際には、取り付け操作とは逆に、レフィル容器５をレフィル容器収納部４の内周面２１周りに、取り付け操作時とは反対方向に回転させて、各係止突起１９に各保持突起２６を乗り越えさせて保持溝２４から離脱させ、さらに案内溝２２を通過させて上方に離脱させることによって行えばよい。
【００３１】
レフィル容器５内の化粧料を使用する際には、通常の化粧料容器１と同様の方法でフック機構１０の係合を解除して蓋体３を開放し、さらにレフィル容器５のフック手段１６を解除してレフィル容器５の蓋部１２を開放すればよい。
【００３２】
以上説明したように本実施形態にかかる化粧料容器１にあっては、レフィル容器収納部４の内周面２１に沿って相対回転されて、レフィル容器収納部４に着脱自在に取り付けられるレフィル容器５の周壁１４外面には、係止突起１９が設けられ、レフィル容器収納部４の内周面２１には、係止突起１９が挿入される案内溝２２と、案内溝２２からレフィル容器収納部４の内周面２１周りに連続的に延長させて、係止突起１９が進入し係脱自在に係合される保持溝２４が形成され、レフィル容器収納部４には係止突起１９を保持溝２４の上縁に押しつけるレフィル容器５を上方に押圧するレフィル容器押し上げ手段２５が設けられることとしたので、レフィル容器５の、係合状態におけるがたつきを適切に防止することが可能となる。
【００３３】
また、保持溝２４内には、係止突起１９の保持溝２４への進入を許容するとともに係止突起１９が保持溝２４から容易に離脱されることを防止する保持突起２６が形成されることとしたので、係止突起１９が保持溝２４から離脱してしまうこと、ひいてはレフィル容器５がレフィル容器収納部４から離脱してしまうことが、より確実に防止されるとともに、係止突起１９を保持溝２４に進入させ係合させる回転操作の際に、レフィル容器押し上げ手段２５による上方への押圧力と相まって良好なクリック感を得ることができる。
【００３４】
なお、保持突起２６の具体的な形状などは本実施形態のものに限定されるものではなく、また、必ずしも本実施形態のようにレフィル容器収納部４の内周面２１と一体的に形成されるのではなく別体として形成されて取り付けられてもよい。また、必ずしも本実施形態のように上方から下方へと突設させて形成される必要はなく、少なくとも、係止突起１９が保持溝２４の奥、すなわち終端面２４ａの側へと進入することを許容するとともにそこから容易に離脱されることを防止するような形状、寸法であればよい。また、レフィル容器押し上げ手段２５の押し上げ作用と相まって良好なクリック感を得るためには、少なくとも、係止突起１９が保持突起２６の上方でなく下方を通過しつつ保持溝２４の奥へと進入するように、保持突起２６を形成すればよい。
【図面の簡単な説明】
【００３５】
【図１】本発明にかかる化粧料容器１の好適な一実施形態を示す分解斜視図である。
【図２】図１の化粧料容器１の平面図である。
【図３】図１の化粧料容器１の断面図である。
【図４】図１の化粧料容器１の要部拡大断面図である。
【符号の説明】
【００３６】
１  化粧料容器
２  容器本体
４  レフィル容器収納部
５  レフィル容器
１４  （レフィル容器の）周壁
１９  係止突起
２１  （レフィル容器収納部の）内周面
２２  案内溝
２４  保持溝
２５  レフィル容器押し上げ手段
２６  保持突起
【図１】
2006345959.tif 000003
【図２】
2006345959.tif 000004
【図３】
2006345959.tif 000005
【図４】
2006345959.tif 000006